(57)【要約】【課題】音声再生装置が持つ複数の音声出力経路の中から音声データが出力されている音声出力経路を選択する。【解決手段】楽曲判定部１６ｂは、複数の音声出力経路から取得された複数の楽曲情報が同一の楽曲に関するものであるか否かを判定する。音声判定部１６ｃは、複数の楽曲情報が同一の楽曲に関するものである場合、複数の音声出力経路のそれぞれにおける音声データの有無を判定する。経路選択部１６ｄは、スピーカ３０に出力する音声出力経路として選択されている音声出力経路と、音声判定部１６ｃにより音声データがあると判定された音声出力経路とが一致しない場合、音声判定部１６ｃにより音声データがあると判定された音声出力経路を、スピーカ３０に出力する音声出力経路として選択する。【選択図】図１
2019217887.tif 000002
【特許請求の範囲】
【請求項１】
複数の音声出力経路を持つ音声再生装置の、前記複数の音声出力経路のそれぞれから、前記音声再生装置が再生中の楽曲に関する楽曲情報を取得する楽曲情報取得部と、
前記複数の音声出力経路のそれぞれから、前記音声再生装置が再生中の前記楽曲の音声データを取得する音声データ取得部と、
前記楽曲情報取得部により取得された複数の楽曲情報を比較して前記複数の楽曲情報が同一の楽曲に関するものであるか否かを判定する楽曲判定部と、
前記楽曲判定部により前記複数の楽曲情報が同一の楽曲に関するものであると判定された場合、前記音声データ取得部により取得された複数の音声データの信号レベルに基づいて前記複数の音声出力経路のそれぞれにおける音声データの有無を判定する音声判定部と、
前記複数の音声出力経路の中から音声データをスピーカに出力する音声出力経路として選択されている音声出力経路と、前記音声判定部により音声データがあると判定された音声出力経路とが一致しない場合、前記音声判定部により音声データがあると判定された音声出力経路を、前記スピーカに出力する音声出力経路として選択する経路選択部とを備える音声出力制御装置。
【請求項２】
前記経路選択部により選択された音声出力経路の音声データを前記スピーカに出力する音声データ出力部を備えることを特徴とする請求項１記載の音声出力制御装置。
【請求項３】
前記経路選択部により選択された音声出力経路への切り替えを促す通知をユーザに対して行う通知部を備えることを特徴とする請求項１又は請求項２記載の音声出力制御装置。
【請求項４】
前記音声出力経路は、前記音声再生装置と前記音声出力制御装置とを接続するブルートゥース接続経路と、前記音声再生装置と前記音声出力制御装置とを接続するＵＳＢ接続経路であることを特徴とする請求項１から請求項３のうちのいずれか１項記載の音声出力制御装置。
【請求項５】
請求項１から請求項４のうちのいずれか１項記載の音声出力制御装置と、
前記音声出力制御装置が選択した音声出力経路の音声データを出力するスピーカと、
前記音声出力制御装置が選択した前記音声出力経路の楽曲情報を表示するディスプレイとを備える音声出力制御システム。
【請求項６】
複数の音声出力経路を持つ音声再生装置の、前記複数の音声出力経路のそれぞれから、前記音声再生装置が再生中の楽曲に関する楽曲情報を取得する楽曲情報取得手順と、
前記複数の音声出力経路のそれぞれから、前記音声再生装置が再生中の前記楽曲の音声データを取得する音声データ取得手順と、
前記楽曲情報取得手順により取得された複数の楽曲情報を比較して前記複数の楽曲情報が同一の楽曲に関するものであるか否かを判定する楽曲判定手順と、
前記楽曲判定手順により前記複数の楽曲情報が同一の楽曲に関するものであると判定された場合、前記音声データ取得手順により取得された複数の音声データの信号レベルに基づいて前記複数の音声出力経路のそれぞれにおける音声データの有無を判定する音声判定手順と、
前記複数の音声出力経路の中から音声データをスピーカに出力する音声出力経路として選択されている音声出力経路と、前記音声判定手順により音声データがあると判定された音声出力経路とが一致しない場合、前記音声判定手順により音声データがあると判定された音声出力経路を、前記スピーカに出力する音声出力経路として選択する経路選択手順とを、コンピュータに実行させる音声出力制御プログラム。
【発明の詳細な説明】
【技術分野】
【０００１】
この発明は、音声再生装置が再生する音声の出力を制御する音声出力制御装置、音声出力制御システム、及び音声出力制御プログラムに関するものである。
【背景技術】
【０００２】
特許文献１に係る車載用電子装置は、通信回線を通じて外部から受信したマルチメディア情報に含まれる第１のオーディオ信号と、記憶媒体から読み出された第２のオーディオ信号とが競合した場合、予め決められた取り決めに従い、第１のオーディオ信号又は第２のオーディオ信号のいずれか一方を選択して再生していた。
【先行技術文献】
【特許文献】
【０００３】
【特許文献１】特開２００９−２７４５８０号公報
【発明の概要】
【発明が解決しようとする課題】
【０００４】
複数の音声出力経路を持つ音声再生装置の中には、複数の音声出力経路のすべてから音声データを出力するものと、複数の音声出力経路のうちの１つの音声出力経路にのみ音声データを出力するものとがある。複数の音声出力経路のうちの１つの音声出力経路にのみ音声データを出力する音声再生装置において、ユーザが選択した音声出力経路から音声データが出力されていない場合、無音の状態になってしまうという課題があった。
【０００５】
特許文献１に係る車載用電子装置は、異なる音源から出力される、異なる内容のオーディオ信号が競合した場合に再生するオーディオ信号を選択するものであり、１つの音声再生装置が持つ複数の音声出力経路から同一楽曲の音声データが出力可能な状態において実際に音声データが出力されている音声出力経路を選択するものではない。
【０００６】
この発明は、上記のような課題を解決するためになされたもので、音声再生装置が持つ複数の音声出力経路の中から音声データが出力されている音声出力経路を選択することを目的とする。
【課題を解決するための手段】
【０００７】
この発明に係る音声出力制御装置は、複数の音声出力経路を持つ音声再生装置の、複数の音声出力経路のそれぞれから、音声再生装置が再生中の楽曲に関する楽曲情報を取得する楽曲情報取得部と、複数の音声出力経路のそれぞれから、音声再生装置が再生中の楽曲の音声データを取得する音声データ取得部と、楽曲情報取得部により取得された複数の楽曲情報を比較して複数の楽曲情報が同一の楽曲に関するものであるか否かを判定する楽曲判定部と、楽曲判定部により複数の楽曲情報が同一の楽曲に関するものであると判定された場合、音声データ取得部により取得された複数の音声データの信号レベルに基づいて複数の音声出力経路のそれぞれにおける音声データの有無を判定する音声判定部と、複数の音声出力経路の中から音声データをスピーカに出力する音声出力経路として選択されている音声出力経路と、音声判定部により音声データがあると判定された音声出力経路とが一致しない場合、音声判定部により音声データがあると判定された音声出力経路を、スピーカに出力する音声出力経路として選択する経路選択部ものである。
【発明の効果】
【０００８】
この発明によれば、複数の音声出力経路のそれぞれから取得された複数の楽曲情報が同一の楽曲に関するものであると判定された場合、音声データがあると判定された音声出力経路をスピーカに出力する音声出力経路として選択するようにしたので、音声再生装置が持つ複数の音声出力経路の中から音声データが出力されている音声出力経路を選択することができる。
【図面の簡単な説明】
【０００９】
【図１】実施の形態１に係る音声出力制御システムの構成例を示すブロック図である。
【図２】実施の形態１に係る音声出力制御装置の動作例を示すフローチャートである。
【図３】実施の形態１の経路選択部による音声出力経路の選択例を示すテーブルである。
【図４】実施の形態１に係る音声出力制御装置のハードウェア構成例を示す図である。
【発明を実施するための形態】
【００１０】
実施の形態１．
図１は、実施の形態１に係る音声出力制御システムの構成例を示すブロック図である。実施の形態１に係る音声出力制御システムは、音声出力制御装置１０、スピーカ３０、ディスプレイ４０、及び入力装置５０を含む。音声出力制御装置１０は、接続部１１、楽曲情報取得部１２、音声データ取得部１３、表示処理部１４、音声データ出力部１５、及び経路判定部１６を含む。
【００１１】
音声再生装置２０は、楽曲再生機能を有するメディアプレイヤ装置又はスマートフォン等である。例えば、音声出力制御装置１０、スピーカ３０、ディスプレイ４０、及び入力装置５０が車両に搭載されており、ユーザによってこの車両に持ち込まれた音声再生装置２０が、無線又は有線によって音声出力制御装置１０に接続される。音声再生装置２０が再生する楽曲の音声データは、音声出力制御装置１０を介して、スピーカ３０から音声出力される。
【００１２】
図１の例では、音声再生装置２０と音声出力制御装置１０とは、第１音声出力経路２０ａとしてブルートゥース（登録商標）により接続されると共に、第２音声出力経路２０ｂとしてＵＳＢ（Ｕｎｉｖｅｒｓａｌ  Ｓｅｒｉａｌ  Ｂｕｓ）により接続される。なお、音声再生装置２０と音声出力制御装置１０との接続方式は、上記のブルートゥース（登録商標）及びＵＳＢに限定されるものではなく、無線ＬＡＮ（Ｌｏｃａｌ  Ａｒｅａ  Ｎｅｔｗｏｒｋ）又は有線ＬＡＮ等であってもよい。
【００１３】
音声再生装置２０は、音声再生装置２０を識別するための装置情報を、第１音声出力経路２０ａ及び第２音声出力経路２０ｂへ出力する。装置情報は、装置名、又は固有ＩＤ等である。また、音声再生装置２０は、再生中の楽曲に関する楽曲情報を、第１音声出力経路２０ａ及び第２音声出力経路２０ｂへ出力する。楽曲情報は、曲名、アーティスト名、アルバム名、又は再生時間等である。また、音声再生装置２０は、再生中の楽曲の音声データを、第１音声出力経路２０ａ又は第２音声出力経路２０ｂの少なくとも一方へ出力する。上述したように、音声再生装置２０には、第１音声出力経路２０ａと第２音声出力経路２０ｂの同時接続時、再生中の楽曲の音声データを第１音声出力経路２０ａ及び第２音声出力経路２０ｂの両方へ出力できるものと、いずれか一方のみへ出力できるものとがある。一方、楽曲情報は、第１音声出力経路２０ａ及び第２音声出力経路２０ｂの両方へ出力される。
【００１４】
以下では、第１音声出力経路２０ａへ出力される装置情報、楽曲情報、及び音声データを、第１装置情報、第１楽曲情報、及び第１音声データと呼ぶ。第２音声出力経路２０ｂへ出力される装置情報、楽曲情報、及び音声データを、第２装置情報、第２楽曲情報、及び第２音声データと呼ぶ。
【００１５】
接続部１１は、第１接続部１１ａ及び第２接続部１１ｂを備える。第１接続部１１ａは、第１音声出力経路２０ａを通じて音声再生装置２０と接続する。第２接続部１１ｂは、第２音声出力経路２０ｂを通じて音声再生装置２０と接続する。
【００１６】
楽曲情報取得部１２は、第１楽曲情報取得部１２ａ及び第２楽曲情報取得部１２ｂを備える。第１楽曲情報取得部１２ａは、第１接続部１１ａを通じて第１装置情報及び第１楽曲情報を取得し、表示処理部１４へ出力する。第２楽曲情報取得部１２ｂは、第２接続部１１ｂを通じて第２装置情報及び第２楽曲情報を取得し、表示処理部１４へ出力する。
【００１７】
音声データ取得部１３は、第１音声データ取得部１３ａ及び第２音声データ取得部１３ｂを備える。第１音声データ取得部１３ａは、第１接続部１１ａを通じて第１音声データを取得し、音声データ出力部１５へ出力する。第２音声データ取得部１３ｂは、第２接続部１１ｂを通じて第２音声データを取得し、音声データ出力部１５へ出力する。
【００１８】
表示処理部１４は、ユーザによって選択された音声出力経路の情報を、入力装置５０から受け取る。表示処理部１４は、ユーザによって選択された音声出力経路から取得された楽曲情報をディスプレイ４０へ出力し、ディスプレイ４０に再生中の曲名等を画面表示させる。例えば、ユーザが第１音声出力経路２０ａを選択した場合、表示処理部１４は、第１楽曲情報取得部１２ａから受け取った第１楽曲情報をディスプレイ４０へ出力する。
【００１９】
音声データ出力部１５は、ユーザによって選択された音声出力経路の情報を、入力装置５０から受け取る。音声データ出力部１５は、ユーザによって選択された音声出力経路から取得された音声データをスピーカ３０へ出力し、スピーカ３０に再生中の楽曲を音声出力させる。例えば、ユーザが第１音声出力経路２０ａを選択した場合、音声データ出力部１５は、第１音声データ取得部１３ａから受け取った第１音声データをスピーカ３０へ出力する。
【００２０】
上述したように、音声再生装置２０には、第１音声出力経路２０ａと第２音声出力経路２０ｂの同時接続時、再生中の楽曲の音声データを第１音声出力経路２０ａ及び第２音声出力経路２０ｂの両方へ出力できるものと、いずれか一方のみへ出力できるものとがある。音声再生装置２０が第２音声出力経路２０ｂにしか音声データを出力できない場合、ユーザが第１音声出力経路２０ａを選択すると、スピーカ３０から音声データが出力されず、無音の状態となる。そこで、音声出力制御装置１０の経路判定部１６は、音声データが出力されている音声出力経路を自動的に選択するようにする。加えて、音声出力制御装置１０は、ユーザが選択した音声データのない音声出力経路から音声データのある音声出力経路へ切り替えること、及び、切り替え前にユーザに切り替えを促す通知を行うことを可能とする。
【００２１】
以下、経路判定部１６による音声出力経路の選択方法を説明する。経路判定部１６は、装置判定部１６ａ、楽曲判定部１６ｂ、音声判定部１６ｃ、及び経路選択部１６ｄを備える。
【００２２】
図２は、実施の形態１に係る音声出力制御装置１０の動作例を示すフローチャートである。音声出力制御装置１０は、音声再生装置２０との間で第１音声出力経路２０ａと第２音声出力経路２０ｂとが同時接続された状態で、音声再生装置２０が楽曲を再生開始すると、図２のフローチャートに示される動作を開始し、開始後は、定期的に図２のフローチャートに示される動作を実施する。
【００２３】
ステップＳＴ１において、装置判定部１６ａは、表示処理部１４を介して、第１楽曲情報取得部１２ａから第１装置情報を取得し、第２楽曲情報取得部１２ｂから第２装置情報を取得する。装置判定部１６ａは、第１装置情報と第２装置情報とを比較して、第１音声出力経路２０ａ及び第２音声出力経路２０ｂに同一の音声再生装置２０が接続されているか否かを判定し、判定結果を楽曲判定部１６ｂへ出力する。
【００２４】
装置判定部１６ａによって第１音声出力経路２０ａに接続されている音声再生装置２０と第２音声出力経路２０ｂに接続されている音声再生装置２０とが異なるものであると判定された場合（ステップＳＴ２“ＮＯ”）、経路判定部１６は、図２のフローチャートに示される動作を終了する。一方、装置判定部１６ａによって第１音声出力経路２０ａ及び第２音声出力経路２０ｂに同一の音声再生装置２０が接続されていると判定された場合（ステップＳＴ２“ＹＥＳ”）、ステップＳＴ３において、楽曲判定部１６ｂは、表示処理部１４を介して、第１楽曲情報取得部１２ａから第１楽曲情報を取得し、第２楽曲情報取得部１２ｂから第２楽曲情報を取得する。そして、楽曲判定部１６ｂは、第１楽曲情報と第２楽曲情報とを比較して、第１楽曲情報と第２楽曲情報とが同一の楽曲のものであるか否かを判定し、判定結果を音声判定部１６ｃへ出力する。
【００２５】
例えば、楽曲判定部１６ｂは、第１楽曲情報に含まれる曲名及びアーティスト名等の各項目と、第２楽曲情報に含まれる曲名及びアーティスト名等の各項目とが、完全に一致する場合に、第１楽曲情報と第２楽曲情報とが同一の楽曲のものであると判定する。なお、第１音声出力経路２０ａ及び第２音声出力経路２０ｂの接続方式によっては、楽曲情報に含まれる項目が異なる場合がある。その場合、楽曲判定部１６ｂは、第１楽曲情報と第２楽曲情報とに共通して含まれる項目が完全に一致する場合に、第１楽曲情報と第２楽曲情報とが同一の楽曲のものであると判定すればよい。
【００２６】
楽曲判定部１６ｂによって第１楽曲情報と第２楽曲情報とが同一の楽曲に関するものでないことが判定された場合（ステップＳＴ４“ＮＯ”）、経路判定部１６は、図２のフローチャートに示される動作を終了する。一方、楽曲判定部１６ｂによって第１楽曲情報と第２楽曲情報とが同一の楽曲に関するものであることが判定された場合（ステップＳＴ４“ＹＥＳ”）、ステップＳＴ５において、音声判定部１６ｃは、音声データ出力部１５を介して、第１音声データ取得部１３ａから第１音声データを取得し、第２音声データ取得部１３ｂから第２音声データを取得する。そして、音声判定部１６ｃは、第１音声データの信号レベルが予め定められた閾値未満である場合、第１音声出力経路２０ａに第１音声データなしと判定し、上記閾値以上である場合、第１音声出力経路２０ａに第１音声データありと判定する。同様に、音声判定部１６ｃは、第２音声データの信号レベルが上記閾値未満である場合、第２音声出力経路２０ｂに第２音声データなしと判定し、上記閾値以上である場合、第２音声出力経路２０ｂに第２音声データありと判定する。そして、音声判定部１６ｃは、判定結果を経路選択部１６ｄへ出力する。
【００２７】
ステップＳＴ６において、経路選択部１６ｄは、表示処理部１４及び音声データ出力部１５が現在選択中の音声出力経路を確認する。現在選択中の音声出力経路は、上述したように、ユーザによって選択された音声出力経路であり、現在、その音声出力経路から取得された楽曲情報がディスプレイ４０に表示されていると共に、その音声出力経路から取得された音声データがスピーカ３０から音声出力されている。
【００２８】
ステップＳＴ７において、経路選択部１６ｄは、音声判定部１６ｃによって音声データありと判定された音声出力経路と、ステップＳＴ６で確認した現在選択中の音声出力経路とが一致するか否かを判定する。経路選択部１６ｄは、音声データありと判定された音声出力経路と、現在選択中の音声出力経路とが一致する場合（ステップＳＴ７“ＹＥＳ”）、現在選択中の音声出力経路を継続することとし、図２のフローチャートに示される動作を終了する。一方、経路選択部１６ｄは、音声データありと判定された音声出力経路と、現在選択中の音声出力経路とが一致しない場合（ステップＳＴ７“ＮＯ”）、ステップＳＴ８において、現在選択中の音声出力経路に代えて、音声データありと判定された音声出力経路を選択する。そして、経路選択部１６ｄは、ステップＳＴ８で選択した音声出力経路の情報を、通知部１７へ出力する。
【００２９】
図３は、実施の形態１の経路選択部１６ｄによる音声出力経路の選択例を示すテーブルである。例えば、音声データがある経路が第１音声出力経路２０ａのみであり、現在選択中の経路も第１音声出力経路２０ａである場合、経路選択部１６ｄは、第１音声出力経路２０ａの選択を継続する。これに対し、音声データがある経路が第１音声出力経路２０ａのみであり、現在選択中の経路が第２音声出力経路２０ｂである場合、経路選択部１６ｄは、現在選択中の第２音声出力経路２０ｂに代えて第１音声出力経路２０ａを選択する。また、音声データがある経路が第１音声出力経路２０ａ及び第２音声出力経路２０ｂであり、現在選択中の経路が第１音声出力経路２０ａである場合、経路選択部１６ｄは、第１音声出力経路２０ａの選択を継続する。
【００３０】
ステップＳＴ９において、通知部１７は、経路選択部１６ｄによって選択された音声出力経路に切り替えを促すための通知を、表示処理部１４を介してディスプレイ４０に画面表示させる。また、通知部１７は、上記通知を、音声データ出力部１５を介してスピーカ３０から音声出力させてもよい。
【００３１】
ステップＳＴ１０において、音声出力経路の切り替えを促す通知を受けたユーザが、入力装置５０を操作することによって音声出力経路の切り替えを指示した場合、入力装置５０は、この指示を示す情報を音声データ出力部１５及び表示処理部１４へ出力する。音声データ出力部１５及び表示処理部１４は、この指示を示す情報を入力装置５０から受け取った場合（ステップＳＴ１０“ＹＥＳ”）、ステップＳＴ１１において、音声出力経路を切り替える。例えば、現在選択中の第２音声出力経路２０ｂから第１音声出力経路２０ａへの切り替えが指示された場合、音声データ出力部１５は、第１音声データ取得部１３ａから受け取った第１音声データをスピーカ３０へ出力する。また、表示処理部１４は、第１楽曲情報取得部１２ａから受け取った第１楽曲情報をディスプレイ４０へ出力する。一方、音声データ出力部１５及び表示処理部１４は、ステップＳＴ９で通知した時点から予め定められた時間が経過しても、音声出力経路を切り替える指示がない場合（ステップＳＴ１０“ＮＯ”）、図２のフローチャートに示される動作を終了する。
【００３２】
なお、図２のフローチャートでは、経路選択部１６ｄが現在選択中の音声出力経路とは異なる音声出力経路を選択した場合、通知部１７がユーザに対して切り替えを促す通知を行うが、通知を行わなくてもよい。通知を行わない場合、経路選択部１６ｄは、ステップＳＴ８で現在選択中の音声出力経路とは異なる音声出力経路を選択すると、選択した音声出力経路へ切り替えるよう、音声データ出力部１５及び表示処理部１４に指示する。音声データ出力部１５及び表示処理部１４は、この指示に従って音声出力経路を切り替える。
【００３３】
音声出力制御装置１０が図２のフローチャートに示される動作を定期的に実施することにより、音声再生装置２０が音声データを出力する音声出力経路を切り替えるたびに、音声出力制御装置１０も自動的に音声データがある音声出力経路への切り替え、又はユーザに対する切り替えの通知を行うことができる。
【００３４】
また、実施の形態１では、音声出力経路が２つである場合を例示したが、３つ以上あってもよい。その場合、接続部１１は第１接続部１１ａ等を３つ以上備え、楽曲情報取得部１２は第１楽曲情報取得部１２ａ等を３つ以上備え、音声データ取得部１３は第１音声データ取得部１３ａ等を３つ以上備える。
【００３５】
経路選択部１６ｄは、３つ以上の音声出力経路のうち、音声データがある音声出力経路が１つである場合、その音声出力経路を選択する。一方、３つ以上の音声出力経路のうち、音声データがある音声出力経路が２つ以上ある場合、経路選択部１６ｄは、例えば、音声データがある２つ以上の音声出力経路の中から音声出力経路の優先度が最も高いものを選択する、又は音声データがある２つ以上の音声出力経路の中から１つの音声出力経路をユーザに選択させる。経路選択部１６ｄは、例えば、音声出力経路の通信品質が高いほど優先度を高く設定してもよいし、音声出力経路の音声データの品質が高いほど優先度を高く設定してもよい。また、音声出力経路の接続方式ごとの優先度が、経路選択部１６ｄに対して予め設定されていてもよい。
【００３６】
最後に、実施の形態１に係る音声出力制御装置１０のハードウェア構成を説明する。図４は、実施の形態１に係る音声出力制御装置１０のハードウェア構成例を示す図である。
音声出力制御装置１０における接続部１１は、ブルートゥース（登録商標）及びＵＳＢ等の接続方式によって音声再生装置２０と通信する通信装置１００である。音声出力制御装置１０における楽曲情報取得部１２、音声データ取得部１３、表示処理部１４、音声データ出力部１５、経路判定部１６、及び通知部１７の機能は、処理回路により実現される。即ち、音声出力制御装置１０は、上記機能を実現するための処理回路を備える。処理回路は、メモリ１０２に格納されるプログラムを実行するプロセッサ１０１により実現される。
【００３７】
楽曲情報取得部１２、音声データ取得部１３、表示処理部１４、音声データ出力部１５、経路判定部１６、及び通知部１７の機能は、ソフトウェア、ファームウェア、又はソフトウェアとファームウェアとの組み合わせにより実現される。ソフトウェア又はファームウェアはプログラムとして記述され、メモリ１０２に格納される。プロセッサ１０１は、メモリ１０２に格納されたプログラムを読み出して実行することにより、各部の機能を実現する。即ち、音声出力制御装置１０は、プロセッサ１０１により実行されるときに、図２のフローチャートで示されるステップが結果的に実行されることになるプログラムを格納するためのメモリ１０２を備える。また、このプログラムは、楽曲情報取得部１２、音声データ取得部１３、表示処理部１４、音声データ出力部１５、経路判定部１６、及び通知部１７の手順又は方法をコンピュータに実行させるものであるとも言える。
【００３８】
ここで、プロセッサ１０１とは、ＣＰＵ（Ｃｅｎｔｒａｌ  Ｐｒｏｃｅｓｓｉｎｇ  Ｕｎｉｔ）、処理装置、演算装置、又はマイクロプロセッサ等のことである。
メモリ１０２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、又はフラッシュメモリ等の不揮発性もしくは揮発性の半導体メモリであってもよいし、ハードディスク又はフレキシブルディスク等の磁気ディスクであってもよいし、ＣＤ（Ｃｏｍｐａｃｔ  Ｄｉｓｃ）又はＤＶＤ（Ｄｉｇｉｔａｌ  Ｖｅｒｓａｔｉｌｅ  Ｄｉｓｃ）等の光ディスクであってもよい。
【００３９】
以上のように、実施の形態１に係る音声出力制御装置１０は、楽曲情報取得部１２、音声データ取得部１３、楽曲判定部１６ｂ、音声判定部１６ｃ、及び経路選択部１６ｄを備える。楽曲情報取得部１２は、複数の音声出力経路を持つ音声再生装置２０の、複数の音声出力経路のそれぞれから、音声再生装置２０が再生中の楽曲に関する楽曲情報を取得する。音声データ取得部１３は、複数の音声出力経路のそれぞれから、音声再生装置２０が再生中の楽曲の音声データを取得する。楽曲判定部１６ｂは、楽曲情報取得部１２により取得された複数の楽曲情報を比較して複数の楽曲情報が同一の楽曲に関するものであるか否かを判定する。音声判定部１６ｃは、楽曲判定部１６ｂにより複数の楽曲情報が同一の楽曲に関するものであると判定された場合、音声データ取得部１３により取得された複数の音声データの信号レベルに基づいて複数の音声出力経路のそれぞれにおける音声データの有無を判定する。経路選択部１６ｄは、複数の音声出力経路の中から音声データをスピーカ３０に出力する音声出力経路として選択されている音声出力経路と、音声判定部１６ｃにより音声データがあると判定された音声出力経路とが一致しない場合、音声判定部１６ｃにより音声データがあると判定された音声出力経路を、スピーカ３０に出力する音声出力経路として選択する。これにより、音声出力制御装置１０は、音声再生装置２０が持つ複数の音声出力経路の中から音声データが出力されている音声出力経路を選択することができる。
【００４０】
また、実施の形態１に係る音声出力制御装置１０は、経路選択部１６ｄにより選択された音声出力経路の音声データをスピーカ３０に出力する音声データ出力部１５を備える。これにより、音声出力制御装置１０は、ユーザが選択した音声データのない音声出力経路から音声データのある音声出力経路へ、自動的に切り替えることができる。
【００４１】
また、実施の形態１に係る音声出力制御装置１０は、経路選択部１６ｄにより選択された音声出力経路への切り替えを促す通知をユーザに対して行う通知部１７を備える。これにより、音声出力制御装置１０は、ユーザの許可を受けた上で、経路選択部１６ｄにより選択された音声出力経路に切り替えることができる。また、音声出力制御装置１０は、経路選択部１６ｄにより選択された音声出力経路が２つ以上ある場合、ユーザが所望する音声出力経路に切り替えることができる。
【００４２】
また、実施の形態１に係る音声出力制御システムは、音声出力制御装置１０と、音声出力制御装置１０が選択した音声出力経路の音声データを出力するスピーカ３０と、音声出力制御装置１０が選択した音声出力経路の楽曲情報を表示するディスプレイ４０とを備える。これにより、音声出力制御システムは、ユーザが選択した音声データのない音声出力経路から音声データのある音声出力経路へ自動的に切り替えることができ、無音の状態になることを防止できる。
【００４３】
本発明はその発明の範囲内において、実施の形態の任意の構成要素の変形、又は実施の形態の任意の構成要素の省略が可能である。
【符号の説明】
【００４４】
１０  音声出力制御装置、１１  接続部、１１ａ  第１接続部、１１ｂ  第２接続部、１２  楽曲情報取得部、１２ａ  第１楽曲情報取得部、１２ｂ  第２楽曲情報取得部、１３  音声データ取得部、１３ａ  第１音声データ取得部、１３ｂ  第２音声データ取得部、１４  表示処理部、１５  音声データ出力部、１６  経路判定部、１６ａ  装置判定部、１６ｂ  楽曲判定部、１６ｃ  音声判定部、１６ｄ  経路選択部、１７  通知部、２０  音声再生装置、３０  スピーカ、４０  ディスプレイ、５０  入力装置。
【図１】
2019217887.tif 000003
【図２】
2019217887.tif 000004
【図３】
2019217887.tif 000005
【図４】
2019217887.tif 000006